(57)【要約】【課題】  パチンコ遊技機に対する釘調整作業が釘調整目標値通りに行われているか否かを、任意の２本の障害釘の間隔を示す釘間隔及び／または任意の障害釘の傾斜角を測定するための測定手段による測定結果に基づいて正確且つ容易に把握できるようにすること、その測定手段による測定結果を有効利用できるようにすること。【解決手段】  測定ユニット９は、パチンコ遊技機１の盤面２における２本の障害釘４の内法寸法（釘間隔）の測定値を携帯端末１０に与える。携帯端末１０は、釘調整作業の結果を示す測定値を管理装置７に与える。管理装置７は、携帯端末１０による測定値を、パチンコ遊技機１の台番号毎に区分し、且つ当該パチンコ遊技機１に対する釘調整目標値と対応付けた状態のデータ列を含む帳票データを作成する。また、管理装置７は、測定値と釘調整目標値との差を演算すると共に、その演算結果を帳票データ中に誤差値として記憶する。【選択図】  図１
2005199107.tif 000002
【特許請求の範囲】
【請求項１】
パチンコ遊技機の盤面から突出された任意の２本の障害釘の間隔を示す釘間隔及び／またはパチンコ遊技機の盤面から突出された任意の障害釘の傾斜角についての調整状態をパチンコ遊技機毎に区分して管理するための釘調整状態管理システムにおいて、
各パチンコ遊技機における前記釘間隔及び／または傾斜角についての釘調整目標値を出力する目標値指示手段と、
前記釘間隔及び／または傾斜角を測定する測定手段と、
この測定手段による最終的な測定値と前記釘調整目標値との差を演算すると共に、その演算結果を誤差値として出力する演算手段と、
前記釘間隔及び／または傾斜角の調整が前記釘調整目標値に基づいて行われた釘調整箇所のうち、前記演算手段から出力される誤差値が所定の許容範囲内にある状態の釘調整箇所の数、または当該釘調整箇所のうち前記演算手段から出力される誤差値が所定の許容範囲を外れた状態の釘調整箇所の数を、釘間隔及び／または傾斜角の調整が行われた箇所の総数で除算する演算を行うと共に、その演算結果を釘調整達成率または釘調整不達成率として出力する補助演算手段と、
を備えたことを特徴とするパチンコ遊技機の釘調整状態管理システム。
【請求項２】
前記演算手段から出力される誤差値の総計を、釘調整箇所の総数で除算する演算を行うと共に、その演算結果を釘調整誤差率として出力する誤差率演算手段を備えたことを特徴とする請求項１記載のパチンコ遊技機の釘調整状態管理システム。
【発明の詳細な説明】
【技術分野】
【０００１】
本発明は、パチンコ遊技機の盤面に設けられた障害釘の間隔などを調整する作業（釘調整作業）を行った結果を記憶する機能を備えたパチンコ遊技機の釘調整状態管理システムに関する。
【背景技術】
【０００２】
パチンコホールに設置されるパチンコ遊技機の盤面には、種々の入賞口が設けられているが、それらの入賞口に対する入賞確率は、一般的に、入賞口の上方に設けられた２本ずつの障害釘により構成される所謂命釘の調整状態によって大きく左右されるものである。このため、従来では、釘師と呼ばれる熟練作業者が、ゲージ球を先端に取り付けたゲージ棒とハンマーとを利用して命釘の調整作業を日常的に行い、これによりパチンコ遊技機のベース（パチンコ遊技機が特賞状態にない通常期間におけるパチンコ玉の出玉率）やスタート回数（所謂メインデジタルの動作回数）などの調整を図るようにしている。この場合、従来では、パチンコホールの管理責任者が、各パチンコ遊技機についての釘調整目標値を当該パチンコ遊技機の稼動データ（所謂アウト数：これはパチンコ遊技機の稼働時間に対応する、ベース、スタート回数など）を参照して決定すると共に、その釘調整目標値を釘調整の指針値として釘師に与え、釘師側では、このように与えられた釘調整目標値に従って釘調整作業を行うというルーチンが採用されている。また、近年では、例えば特許文献１に見られるように、釘間隔や釘の盤面に対する角度を測定した結果をデジタル表示する測定装置が登場しており、これを用いることによって熟練度が低い作業者でも釘調整目標値通りの釘調整を可能にすることも図られている。
【特許文献１】特開２０００−２４１８９号公報
【発明の開示】
【発明が解決しようとする課題】
【０００３】
しかしながら、従来では、パチンコ遊技機に対する釘調整作業が釘調整目標値通りに行われたか否かを確認する手段が存在しないため、以下のような問題点があった。即ち、釘調整が行われたパチンコ遊技機の稼動データ（ベースやスタート回数など）がパチンコホール管理責任者の目論見通りに変化しなかった場合、その原因が、釘調整目標値が適切でなかったことにあるのか、或いは釘調整作業自体に問題があるのか判然とせず、このため、釘調整作業の信頼性を確保することが困難になるという問題点があった。また、前述したような測定装置を利用して釘調整を行った場合において、釘調整目標値とその測定装置による測定結果との差、つまり釘調整目標値と実際に行われた釘調整結果との誤差が、パチンコ遊技機の稼動データにどのような影響を与えるかという点について容易に把握することが困難になり、測定装置による測定結果を有効利用できないという問題点もあった。
【０００４】
本発明は上記事情に鑑みてなされたものであり、その目的は、パチンコ遊技機に対する釘調整作業が釘調整目標値通りに行われているか否かを、任意の２本の障害釘の間隔を示す釘間隔及び／または任意の障害釘の傾斜角を測定するための測定手段による測定結果に基づいて正確且つ容易に把握できると共に、その測定手段による測定結果の有効利用、並びに釘調整結果の評価の容易化が可能になるパチンコ遊技機の釘調整状態管理システムを提供することにある。
【課題を解決するための手段】
【０００５】
請求項１記載のパチンコ遊技機の釘調整状態管理システムは、上記目的を達成するために、パチンコ遊技機の盤面から突出された任意の２本の障害釘の間隔を示す釘間隔及び／またはパチンコ遊技機の盤面から突出された任意の障害釘の傾斜角についての調整状態をパチンコ遊技機毎に区分して管理するための釘調整状態管理システムにおいて、
各パチンコ遊技機における前記釘間隔及び／または傾斜角についての釘調整目標値を出力する目標値指示手段と、前記釘間隔及び／または傾斜角を測定する測定手段と、この測定手段による最終的な測定値と前記釘調整目標値との差を演算すると共に、その演算結果を誤差値として出力する演算手段と、前記釘間隔及び／または傾斜角の調整が前記釘調整目標値に基づいて行われた釘調整箇所のうち、前記演算手段から出力される誤差値が所定の許容範囲内にある状態の釘調整箇所の数、または当該釘調整箇所のうち前記演算手段から出力される誤差値が所定の許容範囲を外れた状態の釘調整箇所の数を、釘間隔及び／または傾斜角の調整が行われた箇所の総数で除算する演算を行うと共に、その演算結果を釘調整達成率または釘調整不達成率として出力する補助演算手段とを備えた構成としたものである。
【０００６】
請求項２記載の釘調整状態管理システムは、前記演算手段から出力される誤差値の総計を、釘調整箇所の総数で除算する演算を行うと共に、その演算結果を釘調整誤差率として出力する誤差率演算手段を備えた構成としたものである。
【発明の効果】
【０００７】
請求項１記載の発明によれば、パチンコ遊技機の釘調整を行う場合には、その遊技機の盤面から突出された任意の２本の障害釘の間隔を示す釘間隔及び／またはパチンコ遊技機の盤面から突出された任意の障害釘の傾斜角についての釘調整目標値を目標値指示手段から出力する。釘調整作業者は、釘調整対象となる障害釘についての前記釘間隔及び／または傾斜角を、目標値指示手段から出力された前記釘調整目標値と一致するように調整するという釘調整作業を行う。この釘調整作業は、上記障害釘の釘間隔及び／または傾斜角を測定手段により測定しながら行うことができるから、熟練度が低い作業者でも釘調整目標値通りの釘調整が可能になる。
【０００８】
演算手段は、測定手段による最終的な測定値が得られた場合に、当該測定値と釘調整目標値との差を演算すると共に、その演算結果を誤差値として出力するようになる。従って、その誤差値を確認することにより、パチンコ遊技機に対する釘調整作業が釘調整目標値通りに行われているか否かを正確且つ容易に把握できるようになる。また、このような誤差値、つまり釘調整目標値と実際に行われた釘調整結果との誤差を示すデータと、パチンコ遊技機の実際の稼働データとを比較可能になるから、そのような誤差が、パチンコ遊技機の稼動データにどのような影響を与えるかという点について容易に把握可能となり、結果的に測定手段による測定結果の有効利用を実現できるようになる。
また、補助演算手段は、釘調整が釘調整目標値通りに行われた釘調整箇所の割合を示す釘調整達成率、または、釘調整が釘調整目標値通りに行われなかった釘調整箇所の割合を示す釘調整不達成率を出力するようになるから、釘調整結果の評価をきわめて容易に行い得るようになる。
【０００９】
請求項２記載の発明によれば、誤差率演算手段から出力される釘調整誤差率に基づいて、釘調整目標値と実際に行われた釘調整結果との誤差の大小を判定できるから、その判定結果を、釘調整結果の評価指針として利用できるようになる。
【発明を実施するための最良の形態】
【００１０】
以下、本発明の一実施例について図面を参照しながら説明する。
図１にはシステム全体の概略的構成が示されている。この図１において、パチンコ遊技機１の盤面２には、多数本の障害釘が突出状に設けられているが、この実施例では、説明の便宜上、周知のスタート入賞口３の入口に設けられた２本の障害釘４のみを図示している。このスタート入賞口３にパチンコ玉が入賞したときには、所定の抽選動作が行われると共に、盤面２に設置された図柄表示用ルーレット５（所謂メインデジタル）が動作開始される。そして、その抽選結果が大当たりであった場合には、ルーレット５が所定の当たり図柄で停止されると共に、盤面２に設置された図示しない大当たり入賞口が所定期間だけ開放されるものであり、これに応じて入賞率が極端に高められた特賞状態を呈する構成となっている。従って、上記障害釘４は、パチンコ遊技機１の入賞率を大きく左右する所謂命釘となるものであり、盤面２には、この障害釘４以外にも多数組の命釘が存在する。
【００１１】
各パチンコ遊技機１の上方には、入出力インタフェースを内蔵した呼出ランプユニット６が設けられており、パチンコ遊技機１は、パチンコホール用管理装置７（本発明でいう目標値指示手段、演算手段、補助演算手段、誤差率演算手段に相当）との間のデータ授受を上記入出力インタフェースを通じて行う構成となっている。この場合、パチンコ遊技機１から管理装置７へ送信されるデータは、アウト玉数（打込パチンコ玉数）、セーフ玉数（賞球として放出されたパチンコ玉数）、特賞状態の発生を示す特賞信号などである。尚、パチンコ遊技機１の隣には周知のＣＲカードユニット８が設置されており、このＣＲカードユニット８も管理装置７との間のデータ授受を上記入出力インタフェースを通じて行う構成となっている。
【００１２】
測定ユニット９（測定手段に相当）は、パチンコ遊技機１の釘調整を行うパチンコホール従業員（以下、釘調整作業者と呼ぶ）が携帯するものであり、例えば、特許第３０１０５４３号公報に見られる遊技機用釘間隔測定装置のように、２本の障害釘の内法寸法を測定する構成となっており、その測定結果（この実施例では、２本の障害釘４の釘間隔（内法寸法）を示す測定した結果）をデジタル値の測定値として出力できる構成となっている。
【００１３】
この測定ユニット９と信号線１０ａを介して接続された携帯端末１０は、当該測定ユニット９と共に釘調整作業者が携帯するものであり、測定ユニット９から出力される測定値を該当するパチンコ遊技機１の台番号データと共に記憶する構成となっている。尚、台番号データの記憶は、釘調整作業者の手入力（後述するテンキースイッチを使用した入力操作）で行うことができるが、この他の手段（例えば、パチンコ遊技機１に設けられた２次元コード、バーコード、ＩＣタグなどに記録された台番号データを読取手段で読み取る手段、パチンコ遊技機１との無線通信により台番号データを取得する手段など）を利用して記憶する構成も可能である。
【００１４】
上記携帯端末１０は、管理装置７との間で信号線１１を介した通信動作を行う構成となっている。この場合、管理装置７は、各パチンコ遊技機１の釘調整時における釘間隔の調整指針となる釘調整目標値及び釘調整後の許容範囲（釘調整目標値と測定ユニット９による実際の測定値との誤差の許容範囲）を、当該パチンコ遊技機１の台番号データと対応付けた釘調整指示値として携帯端末１０へ送信する構成となっている。
【００１５】
携帯端末１０はパチンコホール内に複数台用意されるものであり、管理装置７は、各携帯端末１０へ釘調整指示値（釘調整目標値、許容範囲、台番号）を送信する前の段階で、携帯端末１０毎に釘調整対象となるパチンコ遊技機１の台番号の範囲を設定するものである。具体的には、次表（１）に一例を示すように、第１番目の携帯端末１０に対しては、釘調整対象のパチンコ遊技機１の台番号の範囲として「０００１（開始台番１）」〜「００１０（終了台番１）」、「００８１（開始台番２）〜００９０（終了台番２）」、「０１８１（開始台番３）〜０２００（終了台番３）」を設定し、第２番目の携帯端末１０に対しては、釘調整対象のパチンコ遊技機１の台番号の範囲として「００１１〜００２０」、「００９１」〜「０１００」、「０２０１」〜「０２２０」を設定し、他の携帯端末１０に対しても同様に台番号の範囲を設定する。
【００１６】
【表１】
2005199107.tif 000003
また、管理装置７は、前記障害釘４を含む例えば３箇所の命釘についての釘調整目標値及び許容範囲を、各パチンコ遊技機１の台番号データと対応付けた釘調整指示値として携帯端末１０へ送信する構成となっている。具体的には、３箇所の命釘の釘間隔についての釘調整目標値として、次表（２）に一例を示す値を設定し、各釘調整目標値の許容範囲の上限値及び下限値として、次表（３）に一例を示す値を設定する。
【００１７】
【表２】
2005199107.tif 000004
【００１８】
【表３】
2005199107.tif 000005
そして、携帯端末１０は、上記のような釘調整指示値（釘調整目標値、釘調整後の許容範囲、台番号データ）を受信したときに、これを内部のメモリ部（図３に符号１２を付して示す）に記憶する。
【００１９】
図２には、携帯端末１０の正面外観（ａ）、上面外観（ｂ）、右側面外観（ｃ）が示されており、以下これについて説明する。
図２において、携帯端末１０は、矩形状の本体ケース１３の前面に、表示器１４、操作部１５及びテンキースイッチ部１６を設けた構成となっている。また、本体ケース１３の上面に、前記信号線１１の先端に備えられたモジュラージャック（図示せず）が接続されるモジュラーロゼット１７が設けられ、本体ケース１３の右側面に、スライドスイッチより成る電源スイッチ１８及び前記信号線１０ａの先端に備えられたコネクタ（図示せず）が接続される入力端子部１９が設けられている。
【００２０】
上記表示器１４には、メインメニュー画面、釘調整指示値ダウンロード画面、台番号入力画面、釘調整指示値及び測定値表示画面などが表示される。
この場合、メインメニュー画面には、釘調整指示値ダウンロード画面や他の画面を選択するためのメニューが例えばメニュー番号と共に表示されるものであり、表示されたメニューの選択はテンキースイッチ部１６による該当メニュー番号の入力及び当該テンキースイッチ部１６に設けられた「確定」スイッチ１６ａの操作により行われる。
【００２１】
また、釘調整指示値ダウンロード画面には、管理装置７から釘調整指示値をダウンロードするためのダウンロードスタンバイ状態に切り替えるか否かを選択するためのメニューがメニュー番号と共に表示されるものであり、表示されたメニューの選択はテンキースイッチ部１６による該当メニュー番号の入力及び前記「確定」スイッチ１６ａの操作により行われる。この場合、ダウンロードスタンバイ状態に切り替えられた状態では、管理装置７から、携帯端末１０毎に範囲指定された台番号データに対応した釘調整指示値（釘調整目標位置、許容範囲、台番号）をダウンロードできるようになっている。尚、このようなダウンロードを行うためには、携帯端末１０が信号線１１により管理装置７と接続されていることが前提になることは勿論である。
【００２２】
台番号入力画面は、所望のパチンコ遊技機１の台番号をテンキースイッチ部１６により入力するためのもので、ここで台番号が入力されたときには、釘調整指示値及び測定値表示画面が表示される。従って、このような表示によって、釘調整目標値を含む釘調整指示値が釘調整作業者に報知されることになる。尚、この釘調整指示値及び測定値表示画面には、指定された台番号のパチンコ遊技機１についての釘調整指示値（釘間隔目標値（表（２）参照）及び許容範囲（表（３）参照））と、そのパチンコ遊技機１についての測定ユニット９による測定値とが台番号と関連付けて表示される。また、測定ユニット９から測定結果が入力されていない状態では、測定結果の表示欄は空欄である。
【００２３】
一方、前記操作部１５には、表示器１４に台番号入力画面を表示させるための「台番」スイッチ１５ａ、表示器１４にメインメニュー画面を表示させるための「メイン」スイッチ１５ｂ、表示器１４に表示された前記釘調整指示値及び測定値表示画面中の測定値を取り消してその測定値の表示欄を初期化するための「取消」スイッチ１５ｃ、表示器１４に表示された釘調整指示値及び測定値表示画面を次の台番号に対応したものに変更するための「送る」スイッチ１５ｄ、表示器１４に表示された釘調整指示値及び測定値表示画面を前の台番号に対応したものに変更するための「戻る」スイッチ１５ｅを備えた構成となっている。
【００２４】
図３には、携帯端末１０及び関連部分の電気的構成が機能ブロックの組み合わせにより示されており、以下これについて説明する。
図３において、携帯端末１０は、ＣＰＵなどを含んで成る制御回路２０を中心に構成されており、全体の電源（＋Ｖcc）が、内蔵電池より成る電源部２１から電源スイッチ１８を通じて供給されるようになっている。尚、制御回路２０は、前述したメモリ部１２にアクセス可能となっている。本体ケース１３内にはスピーカ２２が設けられており、制御回路２０は、このスピーカ２２をドライバ２３を通じて駆動する構成となっている。また、制御回路２０は、表示器１４の表示内容の制御を表示制御部２４を通じて行うと共に、操作部１５及びテンキースイッチ部１６からの操作入力を入力インタフェース２５を通じて受けるようになっている。さらに、制御回路２０は、測定ユニット９から出力される測定値（釘間隔を示すデータ）を入力インタフェース２６を通じて受けると共に、管理装置７との間の通信動作を通信インタフェース２７を通じて行うようになっている。尚、本体ケース１３には、スピーカ２２と対応した位置に音声用貫通孔群（図示せず）が設けられている。
【００２５】
図４のフローチャートには、制御回路２０による制御内容のうち、本発明の要旨に関係した測定値判定処理ルーチンが示されており、以下これについて説明する。尚、この測定値判定処理ルーチンは、３箇所の釘調整対象箇所について順次行われるものである。
【００２６】
上記測定値判定処理ルーチンは、表示器１４に前述した釘調整指示値及び測定値表示画面を表示した状態で行われるもので、まず、測定ユニット９から出力される測定値（２本の障害釘の釘間隔）が入力されたか否かを判断し（ステップＡ１）、非入力状態ではメインプログラムへリターンする。測定ユニット９から測定値が入力された場合には、対応する釘調整目標値（表（２）参照、これは釘調整指示値及び測定値表示画面に表示されている）を読み込み（ステップＡ２）、その釘調整目標値と測定値とを比較する（ステップＡ３）。
【００２７】
そして、釘調整目標値及び測定値の差をとった値が釘調整指示値に含まれる許容範囲内（表（３）参照）か否かを判断し（ステップＡ４）、許容範囲外であった場合には、釘調整を継続すべき旨を報知するためのＮＧ音をスピーカ２２から出力し（ステップＡ５）、許容範囲内であった場合には、釘調整を終了すべき旨を報知するためのＯＫ音をスピーカ２２から出力する（ステップＡ６）。上記ＮＧ音及びＯＫ音の何れかを出力した後には、入力された測定値をメモリ部１２に記憶し（ステップＡ７）、この後にリターンする。尚、リターン後には、釘調整指示値及び測定値表示画面中に測定値を表示するための測定値表示処理ルーチンなどを行う。
【００２８】
一方、上記のような釘調整作業が、割り当てられたパチンコ遊技機１の全てについて完了したときには、制御回路２０は、上記のようにメモリ部１２に記憶された最終的な測定値を、信号線１１を通じて管理装置７へ送信するものである。尚、本実施例においては、１台のパチンコ遊技機１について３箇所の釘調整を行う構成となっているから、携帯端末１０から管理装置７へ送信される測定値の総数は、「携帯端末１０に割り当てられたパチンコ遊技機１の台数×３」になるものである。
【００２９】
管理装置７においては、各携帯端末１０による測定値を、パチンコ遊技機１の台番号毎に区分し、且つ当該パチンコ遊技機１に対する３箇所分の釘調整目標値（表（２）参照）と対応付けた状態のデータ列を含む帳票データを携帯端末１０毎に作成して記憶する。
【００３０】
管理装置７は、上記帳票データの作成時において、釘調整箇所毎の測定値とその釘調整箇所に対応する釘調整目標値との差を演算する構成となっており、その演算結果を、帳票データ中に各測定値データと対応付けられた誤差値（単位はmm）として出力する。
【００３１】
また、管理装置７は、釘調整箇所毎の誤差値の合計及び携帯端末１０全体の誤差値の合計を演算すると共に、それらの演算結果を、帳票データ中に釘調整箇所毎の誤差合計（単位はmm）及び携帯端末１０全体の誤差合計（単位はmm）として出力する。
【００３２】
管理装置７は、上記釘調整箇所毎の誤差合計及び携帯端末１０全体の誤差合計をそれぞれに対応する釘調整箇所の総数で除算した後に１００を乗算するという百分率演算を行うと共に、各演算結果を帳票データ中に釘調整箇所毎の釘調整誤差率（単位は％）及び携帯端末１０全体の釘調整誤差率（単位は％）として出力する。
【００３３】
さらに、管理装置７は、釘調整箇所のうち、上述のように演算された誤差値が所定の許容範囲（表（３）参照）内にある状態の釘調整箇所の数を、釘調整が行われた箇所の総数で除算する演算を行うと共に、その演算結果を帳票データ中に釘調整達成率として出力する。尚、このような演算は、３箇所の釘対象箇所毎並び携帯端末１０毎に行われる。
【００３４】
上記帳票データは、具体的には、図５に示すようなフォーマットで形成される。
即ち、図５では、説明を簡略化するために、携帯端末１０に対して、台番号が「１」から「１０」までのパチンコ遊技機１が割り当てられている場合のフォーマット例を示している。この図５において、帳票データには、パチンコ遊技機１の台番号と対応付けた状態で、３箇所の釘調整箇所（入力１、入力２、入力３）毎の釘調整目標値、測定値、誤差値が記憶されると共に、パチンコ遊技機１毎の誤差値の総計が記憶される。また、３箇所の釘調整箇所（入力１、入力２、入力３）と対応付けた状態で、誤差合計、釘調整誤差率、釘調整達成率が記憶されると共に、パチンコ遊技機１毎の誤差合計の総計、釘調整誤差率及び釘調整達成率の平均値が記憶される。
【００３５】
ここで、以下においては、釘調整達成率について、図５の例を用いて説明しておく。即ち、第１番目の釘調整箇所（入力１）についての釘調整結果の許容範囲は、表（３）に示されているように±０．０１mmであるから、当該釘調整箇所については、台番号「５」及び「８」以外のパチンコ遊技機１の釘調整が適正に行われていることになり、この場合には、釘調整達成率は８０％になる。また、第２番目の釘調整箇所（入力２）についての釘調整結果の許容範囲は、表（３）に示されているように±０．０２mmであるから、当該釘調整箇所については、台番号「３」以外のパチンコ遊技機１の釘調整が適正に行われていることになり、この場合には、釘調整達成率は９０％になる。さらに、第３番目の釘調整箇所（入力３）についての釘調整結果の許容範囲も、表（３）に示されているように±０．０２mmであるから、当該釘調整箇所については、全部のパチンコ遊技機１の釘調整が適正に行われていることになり、この場合には、釘調整達成率は１００％になる。そして、携帯端末１０全体の釘調整達成率は、図５中に平均値として示されている９０％になる。
【００３６】
また、管理装置７は、図６に示すような帳票データも同時に作成する構成となっている。この図６の帳票データは、パチンコホールの営業日の日付と対応付けた状態で、携帯端末１０毎の釘調整達成率及び釘調整誤差率が記憶されると共に、携帯端末１０毎の釘調整達成率及び釘調整誤差率の１営業日当たりの平均値の演算結果が記憶される。
【００３７】
そして、上記図５及び図６のような帳票データは、モニタやプリンタを通じて出力可能になっている。
要するに、上記した本実施例においては、パチンコ遊技機１の釘調整を行う場合には以下の操作を行うものである。まず、携帯端末１０を管理装置７に信号線１１を介して接続した状態で、その携帯端末１０を操作することにより、管理装置７から釘調整対象のパチンコ遊技機１についての釘調整指示値（釘調整目標値、許容範囲、台番号データ）を携帯端末１０に予めダウンロードしておく。このようにダウンロードされた釘調整指示値は、携帯端末１０の表示器１４に表示されるものであり、以てその釘調整目標値が釘調整作業者に報知されるから、その釘調整目標値に基づいて対象となる命釘（障害釘４など）をハンマーにより叩いて釘調整を行う。
【００３８】
このような釘調整を行った後には、携帯端末１０に信号線１０ａを介して接続した測定ユニット９により、釘調整対象の命釘に係る釘間隔を測定し、その測定値を携帯端末１０に取り込む。すると、携帯端末１０においては、制御回路２０が、上記釘調整目標値と測定値とを比較し、両差の差をとった値が所定の許容範囲にあるか否かを判定すると共に、その判定結果をスピーカ２２を通じて報知する動作を行う。このような報知動作は、釘調整目標値と測定値との差が許容範囲外であった場合に、釘調整を継続すべき旨の報知音（ＮＧ音）を出力し、許容範囲内であった場合に釘調整を終了すべき旨の報知音（ＯＫ音）を出力することにより行われるから、釘調整を継続すべきか、或いは釘調整を完了すべきかが正確に報知されることになる。このため、釘調整作業者側においては、実際に釘調整作業を行う際に、その釘調整が完了したことを確実に知ることができるようになり、結果的に、熟練度が低い作業者でも釘調整目標値通りの釘調整が可能になるなど、実用上において極めて有益になる。
【００３９】
特に、本実施例によれば、管理装置７側に、パチンコ遊技機１の台番号と対応付けた状態で、測定ユニット９による最終的な測定値、つまり３箇所の釘調整箇所に対する釘調整作業の結果を示す測定値、当該釘調整箇所に対する釘調整目標値、測定値と釘調整目標値との誤差値をそれぞれ記憶した状態の帳票データ（図５参照）を作成すると共に、その帳票データをモニタやプリンタを通じて出力可能な構成となっている。従って、この帳票データ中の誤差値を確認することにより、パチンコ遊技機１に対する釘調整作業が釘調整目標値通りに行われているか否かを正確且つ容易に把握できるようになる。また、このような誤差値、つまり釘調整目標値と実際に行われた釘調整結果との誤差を示すデータと、パチンコ遊技機の実際の稼働データとを比較可能になるから、そのような誤差が、パチンコ遊技機の稼動データにどのような影響を与えるかという点について容易に把握可能となり、結果的に測定手段による測定結果の有効利用を実現できるようになる。
【００４０】
また、本実施例によれば、管理装置７が、釘調整箇所のうち、前記誤差値が所定の許容範囲（表（３）参照）内にある状態の釘調整箇所の数を、釘調整が行われた箇所の総数で除算する演算を行うと共に、その演算結果を上記帳票データ中に釘調整達成率として出力する構成となっている。このため、その釘調整達成率に基づいて、釘調整が釘調整目標値通りに行われた釘調整箇所の割合を容易に確認できることになり、これにより釘調整結果の評価をきわめて容易に行い得るようになる。
【００４１】
また、本実施例によれば、管理装置７が、前記誤差値の総計を、釘調整箇所の総数で除算する演算を行うと共に、その演算結果を上記帳票データ中に釘調整誤差率として出力する構成となっている。このため、その釘調整誤差率に基づいて、釘調整目標値と実際に行われた釘調整結果との誤差の大小を判定できるようになり、その判定結果を、釘調整結果の評価指針として利用できるようになる。
【００４２】
尚、本発明は上記し且つ図面に示した実施例に限定されるものではなく、以下に述べるような変形または拡大が可能である。
上記した実施例では、３箇所の障害釘４について釘調整を行う例で説明したが、さらに多くの箇所の障害釘について釘調整を行うことも可能である。また、測定ユニット９は、障害釘の間隔のみを測定できる構成としたが、障害釘の盤面２に対する傾斜角も測定できる構成とすると共に、管理装置７からダウンロードする釘調整指示値に、釘の傾斜角についての釘調整目標値を含ませる構成としても良い。
【００４３】
上記実施例では、釘調整達成率を演算して帳票データ中に出力する構成としたが、管理装置７において、釘調整箇所のうち、前記誤差値が所定の許容範囲（表（３）参照）を外れた状態の釘調整箇所の数を、釘調整が行われた箇所の総数で除算する演算を行うと共に、その演算結果を上記帳票データ中に釘調整不達成率として出力する構成としても良いものである。
【００４４】
測定ユニット９と携帯端末１０とを一つのユニットとして構成することも可能である。また、携帯端末１０と管理装置７との間の通信を有線方式で行う構成としたが、無線方式で行う構成も可能である。
【００４５】
上記した実施例では、携帯端末１０を設ける構成としたが、これは必要に応じて設ければ良いものである。また、携帯端末１０の機能を、パチンコ遊技機１側、例えば呼出ランプユニット６に内蔵する構成とすることも可能である。この場合には、測定ユニット９と呼出ランプユニット６との間での通信が可能な構成（ワイヤード接続、ワイヤレス接続の何れでも可）とし、呼出ランプユニット６に設けた表示器により管理装置７からダウンロードした釘調整指示値を表示すると共に、呼出ランプユニット６内に設けた制御回路において、当該釘調整指示値中の釘調整目標値と測定ユニット９による測定値とを比較すると共に、両者の差をとった値が所定の許容範囲内にあるか否かを判定し、その判定結果を呼出ランプユニット６に備えられたランプの点灯により報知する構成とすれば良い。例えば、釘調整目標値と測定値との差が許容範囲外であった場合には、釘調整を継続すべき旨の報知を赤色ランプの点灯で行い、許容範囲内であった場合に釘調整を終了すべき旨の報知を青色ランプの点灯で行う構成とすることが考えられる。
【図面の簡単な説明】
【００４６】
【図１】本発明の一実施例を示すシステム全体の概略的構成図
【図２】携帯端末の外観を示す正面図（ａ）、上面図（ｂ）、側面図（ｃ）
【図３】携帯端末の電気的構成を示す機能ブロック図
【図４】携帯端末内の制御回路による制御内容を示すフローチャート
【図５】管理装置側に記憶する帳票データのフォーマット例を示す図
【図６】管理装置側に記憶する他の帳票データのフォーマット例を示す図
【符号の説明】
【００４７】
１はパチンコ遊技機、２は盤面、３はスタート入賞口、４は障害釘、７は管理装置（目標値指示手段、演算手段、補助演算手段、誤差率演算手段）、９は測定ユニット（測定手段）、１０は携帯端末、１４は表示器、１５は操作部、１６はテンキースイッチ部、２０は制御回路、２２はスピーカを示す。
【図１】
2005199107.tif 000006
【図２】
2005199107.tif 000007
【図３】
2005199107.tif 000008
【図４】
2005199107.tif 000009
【図５】
2005199107.tif 000010
【図６】
2005199107.tif 000011